(57)【要約】      （修正有）【課題】カードホルダーが裏返ることのないネックストラップを提供する。【解決手段】ネックストラップ１００は、フラットで内部が透過する収容部２０１を有し、上部に左孔２１１及び右孔２１２を空けた突片２１０が付いたカードホルダー２００と、左孔と右孔にそれぞれ端部が通され、固定手段３１０で留められることにより、カードホルダーに対し環状に取り付けられた紐材３００と、収容部に収容されたカードの裏側に当てられる保持板と、を備え、左孔と右孔とは、紐材が交差して捻じれない間隔で空けられ、紐材及び固定手段には、装着者を保護するための保護材が被せられる、ことを特徴とする。【選択図】図１
0003193819.tif 000002
【実用新案登録請求の範囲】
【請求項１】
フラットで内部が透過する収容部を有し、上部に左孔及び右孔を空けた突片が付いたカードホルダーと、
前記左孔と前記右孔にそれぞれ端部が通され、固定手段で留められることにより、前記カードホルダーに対し環状に取り付けられた紐材と、
前記収容部に収容されたカードの裏側に当てられる保持板と、を備え、
前記左孔と前記右孔とは、前記紐材が交差して捻じれない間隔で空けられ、
前記紐材及び固定手段には、装着者を保護するための保護材が被せられる、
ことを特徴とするネックストラップ。
【考案の詳細な説明】
【技術分野】
【０００１】
本考案は、名札等を首に吊り下げるためのネックストラップに関する。
【背景技術】
【０００２】
ネックストラップは、社員証や名刺などのカードを入れるカードホルダーに吊り下げ用の紐を取り付け、首に掛けて名札として使用する。カードホルダーはビニール等のケースであり、内部に収容したカードが見えるように透明である。吊り下げ用の紐は、カードホルダーの上部中央に空けた孔に通され、両端が結ばれる。なお、特許文献１には、吊り下げ名札裏返り防止プレートの発明も開示されている。
【先行技術文献】
【特許文献】
【０００３】
【特許文献１】特許第４７３３２３８号公報
【考案の概要】
【考案が解決しようとする課題】
【０００４】
しかしながら、吊り下げ用の紐がカードホルダーの上部一箇所に通されていると、カードホルダーの前側に出た紐とカードホルダーの後側に出た紐とのバランスが悪く、カードホルダーが裏返りやすい。なお、カードホルダーの上部一点で吊り下げられていると、カードホルダー自体が回転しやすくなる。特許文献１に記載の技術では、紐にプレートを取り付けているが、首に掛けたときにプレートが邪魔となるし、名札として見栄えが悪くなる。
【０００５】
そこで、本考案は、カードホルダーが裏返ることのないネックストラップを提供することを目的とする。
【課題を解決するための手段】
【０００６】
上記の課題を解決するために、本考案であるネックストラップは、フラットで内部が透過する収容部を有し、上部に左孔及び右孔を空けた突片が付いたカードホルダーと、前記左孔と前記右孔にそれぞれ端部が通され、固定手段で留められることにより、前記カードホルダーに対し環状に取り付けられた紐材と、前記収容部に収容されたカードの裏側に当てられる保持板と、を備え、前記左孔と前記右孔とは、前記紐材が交差して捻じれない間隔で空けられ、前記紐材及び固定手段には、装着者を保護するための保護材が被せられる、ことを特徴とする。
【考案の効果】
【０００７】
本考案であるネックストラップは、カードホルダーの上部左側及び右側に紐材の両端を取り付けているので、カードホルダーが裏返ることがない。また、カードホルダー内に保持板が収容されているので、装着者の動作や風などでカードホルダーが舞い上がることがなく、裏返ることもない。
【図面の簡単な説明】
【０００８】
【図１】本考案であるネックストラップの正面図である。
【図２】本考案であるネックストラップの背面図である。
【図３】本考案であるネックストラップのカードを取り出した状態の背面図である。
【図４】本考案であるネックストラップの留具に保護材を取り付けた場合の図である。
【図５】本考案であるネックストラップの紐材の首に当たる部分に保護材を取り付けた場合の図である。
【図６】本考案であるネックストラップの紐材の全体に保護材を取り付けた場合の図である。
【図７】本考案であるネックストラップの留具を使用せずに紐材を取り付けた場合の図である。
【図８】本考案であるネックストラップのカードホルダーを横長にした場合の図である。
【図９】本考案であるネックストラップの使用状態を示す図である。
【考案を実施するための形態】
【０００９】
以下に、本考案の実施形態について図面を参照して詳細に説明する。なお、同一機能を有するものは同一符号を付け、その繰り返しの説明は省略する場合がある。
【実施例１】
【００１０】
まず、本考案であるネックストラップの構造について説明する。図１は、ネックストラップの正面図である。ネックストラップ１００は、少なくとも、カード５００を収容するためのカードホルダー２００と、カードホルダー２００を吊り下げるための紐材３００とを備える。
【００１１】
カードホルダー２００は、カード５００を収容するための収容部２１０と、紐材３００を取り付けるための突片２１０とを有する。収容部２１０は、薄いフラットな袋状になっており、内部が透過するビニール等の透明な合成樹脂などで、カード５００より一回り大きいサイズで成形されたものである。突片２１０は、収容部２１０の上辺から上方に突出させた薄く小さなシートであり、左部には左孔２１１が貫通し、右部には右孔２１２が貫通する。
【００１２】
カード５００は、例えば、名刺などの名札、社員証、運転免許証などの身分証明証、定期券などのＩＣカード、その他の薄いカード状のものであれば良い。カード５００の材質は、紙製でも金属製でも合成樹脂でも良い。カード５００の形状は、通常は矩形だが、角に丸みがあるものを含み、他の形状であっても構わない。
【００１３】
紐材３００は、少なくとも、両端以外の部分である掛部３０１と、一端側を突片２１０に連結するための端部３０２と、他端側を突片２１０に連結するための端部３０３とからなる。紐材３００としては、天蚕糸（テグス）などの天然の細い糸状の素材を用いても良いし、合成繊維などの太い紐状の素材を用いても良い。
【００１４】
紐材３００の一端側の端部３０２を左孔２１１に通し、端部３０２が左孔２１１から外れないように留具３１０で留める。同様に、紐材３００の他端側の端部３０３を右孔２１２に通し、端部３０３が右孔２１２から外れないように留具３１０で留める。紐材３００の両端側が突片２１０に連結され、紐材３００がカードホルダー２００に対し環状に取り付けられる。
【００１５】
留具３１０は、突片２１０への紐材３００の連結を維持させるために使用する固定手段である。留具３１０は、金属製の金具を使用しても良いし、合成樹脂製のものを使用しても良い。留具３１０が留める対象は、紐材３００同士の場合もあれば、紐材３００と突片２１０の場合もある。なお、紐材３００の端部３０２又は端部３０３に結び目を作り、左孔２１１又は右孔２１２に対して結び付ける場合も固定手段に含むものとする。
【００１６】
留具３１０として金具を使用する場合は、左孔２１１に通した端部３０２を環状に結ぶように紐材３００に重ね、それらを金具で挟んでかしめることにより、固く留める。同様に、右孔２１２に通した端部３０３を環状に結ぶように紐材３００に重ね、それらを金具で挟んでかしめることにより、固く留める。
【００１７】
カードホルダー２００を紐材３００で吊るすことにより、ネックストラップ１００を装着する者の首などに紐材３００を掛けた際に、カードホルダー２００が装着した者の正面の位置に保持され、カードホルダー２００内に収容されたカード５００の内容、例えば装着した者の所属及び氏名などが他人に対して提示される。
【００１８】
突片２１０に設ける左孔２１１と右孔２１２とは、紐材３００が交差して捻じれない間隔で貫通孔が空けられる。なお、左孔２１１及び右孔２１２は貫通孔に限られず、紐材３００と接続できる状態になっていれば良い。左孔２１１と右孔２１２とが左右に間隔を確保して設けられているので、カードホルダー２００が紐材３００と接続している箇所を軸として回転したりすることがなく、カードホルダー２００が裏返しになることがない。
【００１９】
次に、ネックストラップのカードホルダー内への出し入れについて説明する。図２は、ネックストラップの背面図である。カードホルダー２００の裏側には、収容部２１０にカード５００等を出し入れするための開閉部２２０を有し、さらに開閉部２２０を密閉するための封止具２２１も有する。
【００２０】
開閉部２２０は、収容部２０１の上部や裏側などに設けた収容部２０１の内外を繋ぐ出入口である。例えば、カードホルダー２００の材料となる矩形状で同サイズのビニールを２枚合わせ、両側縁と下縁を熱融着によりシールすることで、収容部２０１を形成し、上部に開閉部２２０を設ける。また、一のビニールを表側とし、それより若干短い他のビニールを裏側として、両ビニールの下位置を合わせて両側縁と下縁を熱融着によりシールすることで、収容部２０１を形成し、裏側に開閉部２２０を設ける。
【００２１】
封止具２２１は、開閉部２２０を密閉する部材であり、ジッパーやファスナーなどを用いる。封止具２２１には、一定範囲の面を着脱させるものや、凹凸を噛み合わせて着脱させるものを含む。例えば、開閉部２２０を収容部２０１の上部に設けた場合は、開閉部２２０の両内側に面ファスナーを取り付けて、開閉部２２０を合わせることで封止する。また、開閉部２２０を収容部２０１の裏側に設けた場合は、さらに第３のビニールを収容部２０１の裏側に上位置を合わせて熱融着し、他のビニールの外面と第３のビニールの内面とが重なる位置に面ファスナーを取り付けて封止する。
【００２２】
封止具２２１によって開閉可能に設けた開閉部２２０を介して、収容部２０１へカード５００を入れたり、収容部２０１からカード５００を出したりする。収容部２０１には、表側から視認されるカード５００と、裏側から視認されるカード５００のように、複数のカード５００を入れても良い。図３は、ネックストラップの裏側のカードを取り出した状態の背面図である。収容部２０１には、カード５００以外に予め保持板４００が収容される。
【００２３】
保持板４００は、カード５００の形状を保護するための板材である。保持板４００は、湾曲しない程度の硬さ及び厚さを有しており、アクリル板などの合成樹脂製でも良いし、金属製や木製などでも良い。カード５００が紙製など折り曲がる可能性のある材質の場合に、収容部２０１に入れたカード５００の裏側に当てることにより、カード５００が折り曲がるのを防止する。
【００２４】
また、カード５００が薄く軽い場合でも、保持板４００自体が重石となり、カードホルダー２００全体が下方に引かれる力が強くなるので、装着者６００の動作や風のよって舞い上げることがほとんど無くなり、カードホルダー２００が裏返しになることを防止する。
【００２５】
保持板４００は、収容部２１０の全体に収まる大きさであれば良く、収容部２１０に収容されるカード５００と同等の大きさにしても良い。また、収容部２１０の内部に収容する場合だけでなく、カードホルダー２００の裏側にポケット等を設け、その中に保持版４００を収容するようにしても良い。
【００２６】
保持板４００には絵柄４１０を付しても良い。保持板４００の裏側に絵柄４１０を付しておくことにより、カードホルダー２００に１枚だけ収容したカード５００に対して保持板４００の表側を当てていれば、カードホルダー２００の表裏を容易に視認することができる。
【実施例２】
【００２７】
固定手段が金具等の留具３１０の場合、装着者がネックストラップ１００を首等に掛けた際に、金属等の鋭利な箇所が装着者の衣服その他のものに引っ掛かり、衣服や装着者等を傷付ける可能性もある。図４は、ネックストラップの留具に保護材を取り付けた場合の図である。留具３１０には、装着者の衣服等を保護するための保護材３２０が被せられる。
【００２８】
保護材３２０は、留具３１０が他のものを傷付けないように留具３１０を被覆等する部材である。保護材３２０としては、例えばビニールチューブなど弾力があり柔軟性のある合成樹脂製の管材などが用いられる。留具３１０の全体を保護材３２０で被覆しても良いし、留具の一部を保護材３２０で被覆しても良い。また、保護材３２０には、熱可塑性樹脂を熱で柔らかくした状態で留具３１０を被覆し、冷却して固めるような場合も含むものとする。
【００２９】
ネックストラップ１００は、装着者の首等からぶら下がっているので、装着者の動作その他の原因で前後左右に揺れる可能性があるが、その場合においても留具３１０が装着者の衣服などに引っ掛かることもなく、装着者はネックストラップ１００を安全に使用することができる。
【実施例３】
【００３０】
紐材３００が細い糸状の素材の場合、装着者がネックストラップ１００を首等に掛けた際に、紐材３００が首等に食い込むことにより、首等に線状の跡が残ったり、首等に傷が付いたりする可能性もある。図５は、ネックストラップの紐材の首に当たる部分に保護材を取り付けた場合の図である。紐材３００には、装着者の首等を保護するために、掛部３０１に保護材３２１が被せられる。なお、掛部３０１は、紐材３００のうち端部３０２及び端部３０３以外の部分である。
【００３１】
保護材３２１は、紐材３００の掛部３０２が他のものを傷付けないように掛部３０２を被覆等する部材である。保護材３２１としては、留具３１０を被覆する保護材３２０と同様に、ビニールチューブなど弾力があり柔軟性のある合成樹脂製の管材などが用いられる。保護材３２１は、掛部３０１のうち、少なくとも装着者の首等が当たる位置に被覆されれば良い。
【００３２】
図６は、ネックストラップの紐材の全体に保護材を取り付けた場合の図である。紐材３００の掛部３０２だけでなく、紐材３００の全体を保護材３２２で被覆してもよい。さらに、留具３１０用の保護材３２０と、紐材３００用の保護材３２２とは、別々でも良いし、一体に繋げても良い。
【００３３】
保護材３２２として、ビニールチューブを使用する場合、保護材３２２の管状の貫通孔に紐材３００を通した後、紐材３００の端部３０２及び端部３０３を突片２１０に連結すれば良い。先に紐材３００の端部３０２及び端部３０３を突片２１０に連結していた場合は、熱可塑性樹脂などを紐材３００の周囲にコーティングすれば良い。
【００３４】
ネックストラップ１００は、装着者の首等からぶら下がっているので、装着者の動作その他の原因で前後左右に揺れる可能性があるが、紐材３００が装着者の首等に直接当たっていたとても過度に擦れることもなく、装着者はネックストラップ１００を快適に使用することができる。
【実施例４】
【００３５】
固定手段として、金具等の留具３１０を使用しない場合は、紐材３００の端部３０２を左孔２１１に通して突片２１０に対して結び付け、端部３０３を右孔２１２に通して突片２１０に対して結び付ける。図７は、本考案であるネックストラップの留具を使用せずに紐材を取り付けた場合の図である。なお、紐材３００に対しては保護材３２３で被覆する。
【００３６】
紐材３００を結び付けるため、紐材３００は細い糸状の素材を用いるが、紐材３００の素材が固い場合、紐材３００の端部３０２又は端部３０３が突出していると他のものに突き刺さる場合がある。保護材３２３は、紐材３００を被覆する際に端部３０２及び端部３０３を含めて被覆し、端部３０２又は端部３０３が突出するのを防止する。
【００３７】
紐材３００の端部３０２及び端部３０３を保護材３２３で被覆することにより、保護材３２３によって端部３０２及び端部３０３が固定されることになり、端部３０２が左孔２１１から解けること、及び端部３０３が右孔２１２から解けることも防止する。
【００３８】
ネックストラップ１００は、装着者の首等からぶら下がっているので、装着者の動作その他の原因で前後左右に揺れる可能性があるが、紐材３００の端部３０２又は端部３０３が他のものに刺さったり引っ掻いたりすることもなく、装着者はネックストラップ１００を快適に使用することができる。また、金具等の留具３１０を使用しないので、見た目にシンプルなネックストラップ１００とすることができる。
【実施例５】
【００３９】
ネックストラップ１００は、カードホルダー２００内に収容するカード５００の形状に合わせて、カードホルダー２００の形状を変更しても良い。図８は、本考案であるネックストラップのカードホルダーを横長にした場合の図である。突片２１０の左孔２１１と右孔２１２との間に、紐材３００が交差して捻じれない間隔が確保されていれば、カードホルダー２００は縦長でも横長でも形状が異なっていても良い。
【００４０】
また、保護材３２３については、透明なビニールチューブだけでなく、他の色が付いた半透明なビニールチューブにしても良い。さらに、カードホルダー２００についても透明なビニールだけでなく、内部に収容したカード５００の内容が視認できれば、他の色が付いた半透明なビニールにしても良い。
【００４１】
以上、本考案の実施例を述べたが、これらに限定されるものではない。図９は、ネックストラップの使用状態を示す図である。本考案であるネックストラップ１００は、カードホルダー２００の上部左側及び右側に紐材３００の両端を取り付けているので、カードホルダー２００が裏返ることがない。また、カードホルダー２００内に保持板４００が収容されているので、装着者６００の動作や風などでカードホルダー２００が舞い上がることがなく、裏返ることもない。
【符号の説明】
【００４２】
１００：ネックストラップ
２００：カードホルダー
２０１：収容部
２１０：突片
２１１：左孔
２１２：右孔
２２０：開閉部
２２１：封止具
３００：紐材
３０１：掛部
３０２：端部
３０３：端部
３１０：留具
３２０：保護材
３２１：保護材
３２２：保護材
３２３：保護材
４００：保持板
４１０：絵柄
５００：カード
５０１：カード
６００：装着者
【図１】
0003193819.tif 000003
【図２】
0003193819.tif 000004
【図３】
0003193819.tif 000005
【図４】
0003193819.tif 000006
【図５】
0003193819.tif 000007
【図６】
0003193819.tif 000008
【図７】
0003193819.tif 000009
【図８】
0003193819.tif 000010
【図９】
0003193819.tif 000011